(57)【要約】【課題】  スケジューラー機能により登録された用件を、用件情報のみで構成された用件リストとして生成する。【解決手段】  スケジューラー機能により日時情報に関連付けて用件情報を登録し、登録された日時情報と用件情報とに基づき、用件情報のみで構成された用件リストを生成し、生成された用件リストを出力する。【選択図】      図１
2005080096.tif 000002
【特許請求の範囲】
【請求項１】
日時情報を用いてスケジュール管理を行うスケジューラー機能を有する情報端末装置の用件リスト生成方法であって、
スケジューラー機能により日時情報に関連付けて用件情報を登録する工程と、
前記登録する工程で登録された日時情報と用件情報とに基づき、前記用件情報のみで構成された用件リストを生成する工程と、
前記生成する工程で生成された用件リストを出力する工程とを有することを特徴とする情報端末装置の用件リスト生成方法。
【請求項２】
前記生成する工程では、登録された用件情報を消去する場合、或いは新たに用件情報を登録する際に登録可能な領域が存在しない場合、前記登録された日時情報と用件情報とに基づき、前記用件情報のみで構成された用件リストを生成することを特徴とする請求項１記載の情報端末装置の用件リスト生成方法。
【請求項３】
前記生成する工程で生成された用件リストの用件情報を消去する工程を更に有することを特徴とする請求項２記載の情報端末装置の用件リスト生成方法。
【請求項４】
前記生成する工程により生成された用件リストを印刷する工程を更に有することを特徴とする請求項１記載の情報端末装置の用件リスト生成方法。
【請求項５】
前記生成する工程では、前記利用者が出力形式として年月を指定した場合、その年月に登録された用件情報から用件リストを生成することを特徴とする請求項２記載の情報端末装置の用件リスト生成方法。
【請求項６】
前記生成する工程では、前記利用者が出力形式として過去件を指定した場合、現在の日時以前に登録された用件情報から用件リストを生成することを特徴とする請求項２記載の情報端末装置の用件リスト生成方法。
【請求項７】
前記生成する工程では、前記利用者が出力形式として所望の用件を指定した場合、登録されている全ての用件情報から選択された用件情報の用件リストを生成することを特徴とする請求項２記載の情報端末装置の用件リスト生成方法。
【請求項８】
前記生成する工程では、前記利用者が出力形式として全件を指定した場合、登録されている全ての用件情報から用件リストを生成することを特徴とする請求項２記載の情報端末装置の用件リスト生成方法。
【請求項９】
日時情報を用いてスケジュール管理を行うスケジューラー機能を有する情報端末装置であって、
スケジューラー機能により日時情報に関連付けて用件情報を登録する登録手段と、
前記登録手段で登録された日時情報と用件情報とに基づき、前記用件情報のみで構成された用件リストを生成する生成手段と、
前記生成手段で生成された用件リストを出力する出力手段とを有することを特徴とする情報端末装置。
【請求項１０】
前記生成手段では、登録された用件情報を消去する場合、或いは新たに用件情報を登録する際に登録可能な領域が存在しない場合、前記登録された日時情報と用件情報とに基づき、前記用件情報のみで構成された用件リストを生成することを特徴とする請求項９記載の情報端末装置。
【請求項１１】
前記生成手段で生成された用件リストの用件情報を消去する消去手段を更に有することを特徴とする請求項１０記載の情報端末装置。
【請求項１２】
前記生成手段により生成された用件リストを印刷する印刷手段を更に有することを特徴とする請求項９記載の情報端末装置。
【請求項１３】
コンピュータに請求項１乃至請求項８の何れか一項に記載の情報端末装置の用件リスト生成方法の各手順を実行させるためのプログラム。
【請求項１４】
請求項１３に記載のプログラムが記録されたコンピュータ読み取り可能な記録媒体。
【発明の詳細な説明】
【技術分野】
【０００１】
本発明は、日時情報を用いてスケジュール管理を行うスケジューラー機能を有する情報端末装置及びその用件リスト生成方法に関するものである。
【背景技術】
【０００２】
従来、家庭用のファクシミリ装置や電話機などの情報端末装置で装置内の日時データを利用し、使用者にスケジュール等の用件を登録させ、登録された日時になると装置の液晶表示部等に登録用件を表示すると共にメロディー等を鳴動させて使用者に報知することが可能な、いわゆるスケジューラー機能を有するものが知られている（例えば、特許文献１参照。）。
【特許文献１】特開平７-９９５５２号公報
【発明の開示】
【発明が解決しようとする課題】
【０００３】
しかしながら、これらの情報端末装置の記憶領域は、パーソナルコンピュータ（ＰＣ）などに比べると遥かに容量が小さく、登録できる用件の数に限りがあるため、登録された用件が所定の数に達したときに新たに用件を登録する場合、以前に登録された用件を消去して記憶領域に空き領域を作った上で登録しなければならない。特に、使用者が情報端末装置内のスケジューラー機能を日記代わりの用途で使用している場合、消去された用件は情報端末装置内の記憶領域からは永遠に消去されてしまうため、後で使用者が用件を参照しようとしても不可能であった。
【０００４】
このような課題を解決する場合、特許文献１に記載された発明によれば、装置内の日付データからカレンダーを作成し、指定された期間内に登録された使用者の用件等を印字出力することが可能であり、使用者は印字出力されたカレンダーを保存しておけばいつでも用件等を参照することができる。しかしながら、この発明によれば、印字出力する対象となる用件の範囲を使用者が指定した場合、その期間内であれば用件が未登録となっている日付の用件等についても印字してしまう。
【０００５】
例えば、特許文献１の表１に示されるように、１ページに一ヶ月分の用件等を印字出力する際に、その一ヶ月の中に用件が入力されていない日があっても、その入力されていない日も出力してしまい、二ヶ月間のスケジュールが記録紙１枚に収まる場合でも、２枚に出力されてしまう。
【０００６】
また、過去３０件の用件が三十ヶ月に渡って登録されていた場合、それら全ての用件を印字するには３０枚の用紙が必要になるため、用紙の消費量が増えてしまう。
【０００７】
また、用件を記憶するためのメモリ容量が少ない情報端末装置において、上述のように新たな用件を登録する際に初めて記憶容量が一杯であることが判明し、その新たな用件を入力するために不要な用件を消去しなければならないが、上述したようにスケジューラー機能を日記代わりの用途で使用している場合、その消去する用件等を印字出力して残しておきたいと思ってもその場ですぐに印字することができなかった。
【課題を解決するための手段】
【０００８】
本発明は、日時情報を用いてスケジュール管理を行うスケジューラー機能を有する情報端末装置の用件リスト生成方法であって、スケジューラー機能により日時情報に関連付けて用件情報を登録する工程と、前記登録する工程で登録された日時情報と用件情報とに基づき、前記用件情報のみで構成された用件リストを生成する工程と、前記生成する工程で生成された用件リストを出力する工程とを有することを特徴とする。
【０００９】
また本発明は、日時情報を用いてスケジュール管理を行うスケジューラー機能を有する情報端末装置であって、スケジューラー機能により日時情報に関連付けて用件情報を登録する登録手段と、前記登録手段で登録された日時情報と用件情報とに基づき、前記用件情報のみで構成された用件リストを生成する生成手段と、前記生成手段で生成された用件リストを出力する出力手段とを有することを特徴とする。
【発明の効果】
【００１０】
本発明によれば、スケジューラー機能により登録された用件を、用件情報のみで構成された用件リストとして生成することができる。
【００１１】
また、本発明は、用件を消去する際に、消去対象となっている用件情報を印刷することができる。
【発明を実施するための最良の形態】
【００１２】
以下、図面を参照しながら発明を実施するための最良の形態について詳細に説明する。尚、情報端末装置として、装置の日付、時刻データを利用して使用者のスケジュール等の用件を管理可能なスケジューラー機能を有するファクシミリ装置を例に説明する。
【実施例１】
【００１３】
＜装置構成の説明＞
図１は、実施例１における情報端末装置の構成を示すブロック図である。図１において、１０１は画像読取部であり、原稿を光学的に読み取って画像データに変換する。１０２はＣＰＵであり、情報端末装置全体の制御を行う。また、後述するタイマーから得られる日付データに基づき、スケジューラー（実施例ではＣＰＵ１０１によって実行されるアプリケーションであり、スケジューラー機能を提供する）の管理、制御などを行っている。１０３はＲＯＭであり、ＣＰＵ１０２の動作プログラムや制御データなどが格納される。１０４はＲＡＭであり、ＣＰＵ１０２のワークメモリとなったり、スケジューラーにより登録された用件等を記憶する。
【００１４】
１０５はプリンタであり、画像読取部１０１で読み取った画像データや通信回線経由で受信して得た画像データを印字し、また登録された用件から一ヶ月単位で印字し、或いは登録された用件の中から抽出された用件を印字する。１０６はビットマップデータの表示が可能な表示部であり、スケジューラーの機能表示や登録画面などを表示する。１０７はユーザがキーなどで情報端末装置の操作を行うための操作部であり、スケジューラー等の登録指示やプリンタ１０５に対しての印字指示などを行う。
【００１５】
１０８はデータモデムであり、通信回線を介して相手通信端末装置とデータの送受信を制御する。１０９はＦＡＸモデムであり、通信回線を介して相手ファクシミリ装置とファクシミリデータの送受信を制御する。１１０はクロスポイントスイッチであり、通信回線から受信するデータをデータモデム１０８又はＦＡＸモデム１０９に振り分ける。１１１はタイマーであり、日付と時刻データの管理を行っている。
【００１６】
＜メモリ構成の説明＞
図２は、情報端末装置のスケジューラー機能に係るメモリ構成を示す図である。図２において、２０１は情報端末装置の記憶領域（ＲＡＭ）であり、図１に示すＲＡＭ１０４に相当する。２０２はスケジュール記憶領域であり、実際に使用者が登録した用件等のスケジュールが記憶される。このスケジュール記憶領域は２０４のスケジュール管理テーブルにより構成され、情報端末装置の最大用件登録数である１００件分のスケジュールを管理できるような大きさの容量がある。このスケジュール管理テーブル２０４には、１件毎に使用者が登録した用件の発生する日時（「年」、「月」、「日」、「時」、「分」の情報）、用件の内容、表示などした際に用件の内容を端的に示すアイコン情報、登録した日時になった場合に使用者に報知させるか否かを識別するフラグ等から構成されている。
【００１７】
２０３はスケジューラーワーク領域であり、アプリケーションとしてスケジューラーが実行される場合に使用される。２０５は月毎のスケジュール管理領域であり、カレンダー情報を作成する際に使用され、用件を月毎に表示或いは印字する場合にスケジュール管理テーブルのポインタが最大３１日分格納される。具体的には、スケジュール管理テーブル２０４から表示或いは印字したい月の初日から月末（最大３１日）までのスケジュールを抽出し、該当するスケジュール管理テーブルの先頭アドレスをポインタ情報として月毎のスケジュール管理領域２０５に格納する。尚、実施例では、月毎のスケジュール管理領域２０５には一日から昇順で３１日（例えば、２月の場合は２８日（閏年は２９日）というように月により月末の日は異なるが、最大３１日分ある）までのポインタ情報を格納するものとする。
【００１８】
２０６は読み出しスケジュール管理領域であり、スケジューラー機能において、用件を消去する場合や月毎ではなく、用件の中から任意に選択した用件を用件リストとして印字出力する場合など様々なアプリケーションを実行する際に、対象となるスケジュール管理テーブルのポインタやスケジュール管理テーブルに記憶された情報の中から、特に必要な情報（例えば用件日時などアプリケーションが実行する際に用件を日付順のソートに使用するための情報等）を合わせて格納可能な１００件分のバッファである。
【００１９】
＜カレンダー表示又は印字出力＞
以上の構成において、スケジューラーによってスケジュール管理テーブル２０４に登録された用件に対してユーザが所望の年、月を指定し、その月毎の用件をカレンダーとして表示部１０６に表示又はプリンタ１０５で印字出力する処理について説明する。
【００２０】
図３は、実施例におけるスケジューラーの登録用件を月毎に表示或いは印字する処理を示すフローチャートである。まず、ステップＳ３０１において、使用者がカレンダー表示（又は印字）を所望する旨の操作を操作部１０７から行い、カレンダー表示（又は印字）したい「年」及び「月」を指定すると、ＣＰＵ１０２はステップＳ３０２へ処理を進め、ポインタｓｃ＿ｐにスケジュール管理テーブル２０４の最初のテーブルの先頭アドレスを代入する。ポインタｓｃ＿ｐには処理中、読み出そうとするスケジュール管理テーブルの先頭アドレスが代入され、このポインタｓｃ＿ｐでアクセスすることにより個々の用件の用件日時や用件の内容等を参照することができる。
【００２１】
次に、ステップＳ３０３において、ポインタｓｃ＿ｐで示されるアドレスがスケジュール記憶領域２０２のアドレス範囲を超えたか否かをチェックする。ここで、アドレス範囲を超えていない、即ちスケジュール管理テーブルの１００件分の読み出しを終えていないと判断した場合にはステップＳ３０４へ進み、ポインタｓｃ＿ｐで示されるスケジュール管理テーブルの内容を読み出す。そして、ステップＳ３０５において、用件日時の情報に含まれる「年」及び「月」が、使用者が指定した年月と一致するか否かを判断する。ここで、年月が一致した場合はステップＳ３０６へ進み、月毎スケジュール管理領域２０５のうち、用件日時の「日」に対応する領域にポインタｓｃ＿ｐのアドレスを格納する。つまり、スケジュール管理テーブルの用件日時の「日」が１４日であれば、月毎スケジュール管理領域の１４日に対応するバッファにポインタｓｃ＿ｐのアドレスを格納する。
【００２２】
また、上述のステップＳ３０５において、用件日時の情報に含まれる「年」及び「月」が、使用者が指定した年月と一致しない場合は、ステップＳ３０６の処理をスキップする。そして、ステップＳ３０７において、ポインタｓｃ＿ｐで示されるアドレスをスケジュール管理テーブルのサイズ分進めることで、次のスケジュール管理テーブルの先頭アドレスがポインタｓｃ＿ｐに代入される。
【００２３】
このようにして１００件分のスケジュール管理テーブルを読み出し、上述のステップＳ３０３において、ポインタｓｃ＿ｐで示されるアドレスがスケジュール記憶領域２０２のアドレス範囲を超えるとステップＳ３０８へ進み、そのうち使用者が指定した「年」及び「月」に合致するスケジュールの情報を読み出して１か月分の月毎スケジュール管理情報を作成する。例えば、使用者が指定した年月の４日、１４日、２１日に用件が登録されていたとすると、月毎スケジュール管理領域２０５の４日、１４日、２１日に対応する領域に、それぞれの用件の詳細情報が記憶されたスケジュール管理テーブルの先頭アドレスが格納され、それ以外の領域にはＮＵＬＬポインタ（アドレス“０”）などの初期化データが格納された月毎スケジュール管理情報２０５が作成される。
【００２４】
そして、月毎スケジュール管理情報２０５が作成されると、それに基づきカレンダーの表示データを生成し、情報端末装置の表示部１０６に表示する。次に、ステップＳ３０９において、印字要求を受け付けるとステップＳ３１０へ進み、月毎スケジュール管理情報２０５からカレンダーの印字データを生成し、プリンタ１０５で印字出力する。
【００２５】
尚、ここでは、月毎にスケジュール管理情報を作成するようにしたが、一週間や二週間毎になど別の単位でスケジュール管理情報を作成するようにしても良い。
【００２６】
＜用件リストの印字出力＞
次に、スケジューラーによって登録された用件を用件リストとして印字出力する場合の処理について説明する。尚、「用件リスト」とは、上述のカレンダーとは異なる登録用件の一覧であり、使用者が登録してある用件のみで明示されるものである。使用者が新たな用件を登録しようとした時に、スケジュール登録のためのメモリ容量がないため、つまり登録件数を越えている場合、用件を消去する前に消去対象とする用件を日記代わりに印字出力しておきたい場合の処理である。また、単に登録された用件を日記代わりに印字出力しておきたい場合にも行われる。
【００２７】
まず、使用者が新たな用件の登録操作を行ったときにＣＰＵ１０２がメモリ容量がないと判断すると、登録された用件を消去する前に用件リストを印字出力するか否かを使用者に促し、使用者が印字出力を所望すると用件リストを印字出力するためのデータ生成処理を行う。このとき、実施例では、用件リストの印字出力として「全件プリント」、「過去件プリント」、「選択プリント」の３種類の印字出力を選択できるようにする。以下に、使用者が用件リストの印字出力を所望した場合に上記３種類のリストを印字出力するためのデータ生成について説明する。
【００２８】
まず、現在より過去に登録された用件のみを印字出力するための「過去件プリント」について説明する。
【００２９】
図４は、実施例における「過去件プリント」の処理を示すフローチャートである。まず、ステップＳ４０１において、ポインタｓｃ＿ｐにスケジュール管理テーブル２０４の最初のテーブルの先頭アドレスを代入し、ポインタｒｓ＿ｐに読み出しスケジュール管理領域２０６の先頭アドレスを代入する。ここで、ポインタｓｃ＿ｐには、処理中、読み出そうとするスケジュール管理テーブルの先頭アドレスが代入され、このポインタｓｃ＿ｐにアクセスすることで個々の用件の用件日時や用件の内容等を参照することができる。また、ポインタｒｓ＿ｐは読み出しスケジュール管理領域２０６における用件毎の情報（スケジュール管理テーブルのポインタ等）が格納されたバッファの先頭アドレスが代入され、バッファサイズ毎にポインタは進むものとする。
【００３０】
次に、ステップＳ４０２において、ポインタｓｃ＿ｐで示されるアドレスがスケジュール記憶領域２０２のアドレス範囲を超えているか否かをチェックする。ここで、アドレス範囲を超えていない、つまり、スケジュール管理テーブルの１００件分の読み出しを終えていない場合はステップＳ４０３へ進み、ポインタｓｃ＿ｐで示されるスケジュール管理テーブルを読み出す。そして、ステップＳ４０４において、そのスケジュール管理テーブルの用件日時が、現在の日付より前か否かを判断する。ここでは、現在の日付が、例えば２００３年８月１０日であれば２００３年８月９日以前の用件を現在の日付より前の用件（過去の用件）であると判断する。その結果、スケジュール管理テーブルの用件日時が、現在の日付より前であると判断した場合はステップＳ４０５へ進み、ポインタｒｓ＿ｐで示されるバッファにポインタｓｃ＿ｐの値を格納し、併せてポインタｓｃ＿ｐで示されるスケジュール管理テーブルの用件日時の情報も格納する。
【００３１】
次に、ステップＳ４０６において、次のスケジュール管理テーブルを参照するように、ポインタｓｃ＿ｐを進め、また読み出しスケジュール管理領域２０６における次の用件を格納するバッファの先頭を指し示すように、ポインタｒｓ＿ｐを進める。
【００３２】
このようにして１００件分のスケジュール管理テーブルを読み出し、上述のステップＳ４０２において、ポインタｓｃ＿ｐで示されるアドレスがスケジュール記憶領域２０２のアドレス範囲を超えるとステップＳ４０７へ進み、過去の用件に合致するスケジュールの情報を読み出し、読み出しスケジュール管理情報を生成する。この読み出しスケジュール管理情報を作成すると、それに基づき、読み出しスケジュール管理情報を日付の古い順にソートして印字データを生成し、プリンタ１０５で印字出力する。
【００３３】
次に、使用者が任意に選択した用件のみを用件リストとして印字出力するための「選択プリント」について説明する。
【００３４】
図５は、実施例における「選択プリント」の処理を示すフローチャートである。まず、ステップＳ５０１において、スケジュール管理テーブルに登録された全ての用件を情報端末装置の表示部１０６に表示する。そして、ステップＳ５０２において、ポインタｒｓ＿ｐに読み出しスケジュール管理領域２０６の先頭アドレスを代入する。ここで、ポインタｒｓ＿ｐは読み出しスケジュール管理領域における用件毎の情報（スケジュール管理テーブルのポインタ等）が格納されたバッファの先頭アドレスが代入され、そのバッファサイズ毎にポインタは進むものとする。
【００３５】
次に、ステップＳ５０３において、使用者が用件の選択を終了したか否かを判断する。まだ用件の選択が終っていない場合はステップＳ５０４へ進み、使用者が印字したい用件を表示で確認しながら用件の選択操作が行われる。そして、ステップＳ５０５において、使用者が印字したい用件の選択を行うとステップＳ５０６へ進み、選択された用件に該当するスケジュール管理テーブルを読み出し、ステップＳ５０７では、ポインタｒｓ＿ｐで示されるバッファに選択されたスケジュール管理テーブルの先頭アドレスを格納し、併せてそのスケジュール管理テーブルの用件日時の情報も格納する。次に、ステップＳ５０８において、読み出しスケジュール管理領域における次の用件を格納するバッファの先頭を指し示すようにポインタｒｓ＿ｐを進める。
【００３６】
このようにして使用者が用件の選択を繰り返し、上述のステップＳ５０３において、用件の選択指示が終了するとステップＳ５０９へ進み、読み出しスケジュール管理情報を日付の古い順にソートして印字データを生成し、プリンタ１０５で印字出力する。
【００３７】
次に、使用者が登録された全ての用件を用件リストとして印字出力するための「全件プリント」について説明する。
【００３８】
図６は、実施例における「全件プリント」の処理を示すフローチャートである。まず、ステップＳ６０１において、ポインタｓｃ＿ｐにスケジュール管理テーブル２０４の最初のテーブルの先頭アドレスを代入し、ポインタｒｓ＿ｐに読み出しスケジュール管理領域２０６の先頭アドレスを代入する。ここで、ポインタｓｃ＿ｐには、処理中、読み出そうとするスケジュール管理テーブルの先頭アドレスが代入され、このポインタｓｃ＿ｐにアクセスすることで個々の用件の用件日時や用件の内容等を参照することができる。また、ポインタｒｓ＿ｐは読み出しスケジュール管理領域２０６における用件毎の情報（スケジュール管理テーブルのポインタ等）が格納されたバッファの先頭アドレスが代入され、バッファサイズ毎にポインタは進むものとする。
【００３９】
次に、ステップＳ６０２において、ポインタｓｃ＿ｐで示されるアドレスがスケジュール記憶領域２０２のアドレス範囲を超えているか否かをチェックする。ここで、アドレス範囲を超えていない、つまり、スケジュール管理テーブルの１００件分の読み出しを終えていない場合はステップＳ６０３へ進み、ポインタｓｃ＿ｐで示されるスケジュール管理テーブルを読み出す。そして、ステップＳ６０４において、ポインタｒｓ＿ｐで示されるバッファにポインタｓｃ＿ｐの値を格納し、併せてポインタｓｃ＿ｐで示されるスケジュール管理テーブルの用件日時の情報も格納する。
【００４０】
次に、ステップＳ６０５において、次のスケジュール管理テーブルを参照するように、ポインタｓｃ＿ｐを進め、また読み出しスケジュール管理領域２０６における次の用件を格納するバッファの先頭を指し示すように、ポインタｒｓ＿ｐを進める。
【００４１】
このようにして１００件分のスケジュール管理テーブルを読み出し、上述のステップＳ６０２において、ポインタｓｃ＿ｐで示されるアドレスがスケジュール記憶領域２０２のアドレス範囲を超えるとステップＳ６０６へ進み、全ての用件の読み出しスケジュール管理情報を生成する。そして、読み出しスケジュール管理情報を作成すると、それに基づき、読み出しスケジュール管理情報を日付の古い順にソートして印字データを生成し、プリンタ１０５で印字出力する。
【００４２】
以上説明したように、スケジューラーにより登録された用件を印字出力する際に、用件の未登録の日付分は印字出力することなく、消去対象となる用件が登録された日付分のみを印字出力するようにし、記録紙を無駄に消費しないようなフォーマットで出力することも可能である。
【００４３】
＜スケジューラーの処理＞
ここで、アプリケーションとして実行されるスケジューラーの処理について説明する。
【００４４】
図７は、本実施例におけるスケジューラーの処理を示すフローチャートである。まず、ステップＳ７０１において、スケジューラー機能のうち「用件登録」か「用件消去」かを使用者が選択するのを待ち、使用者が「用件登録」を選択した場合はステップＳ７０２へ進み、用件登録エリアが一杯か否かを判断する。ここで、登録エリアに空きがある場合はステップＳ７０３へ進み、用件登録処理を行う。この処理は、入力された日時、用件内容、指定アイコンなどをスケジュール管理テーブルに登録する処理である。そして、登録が終了するとステップＳ７０１に戻る。
【００４５】
また、ステップＳ７０１において、「用件消去」が選択された場合、又は「用件登録」が選択されたがステップＳ７０２で登録エリアに空きがないと判断された場合はステップＳ７０４へ進み、用件の消去を行う。尚、実施例では、消去モードとして次の３つの消去モードがあるとする。即ち、「全件消去」、「過去件消去」、及び「選択消去」の３つのモードである。ここで、過去件消去が選択されるとステップＳ７０５へ進み、印字要求があるか否かを判断する。つまり、使用者が過去の用件を消去するにあたって消去対象となる用件の用件リストを印字出力したいと考えた場合はステップＳ７０６へ進み、図４に示した過去件リストの印字出力を行い、続くステップＳ７０７で過去の用件を消去する。
【００４６】
また、ステップＳ７０４において、選択消去が選択されるとステップＳ７０８へ進み、印字要求があるか否かを判断する。つまり、使用者が選択した用件を消去するにあたって消去対象となる用件の用件リストを印字出力したいと考えた場合はステップＳ７０９へ進み、図５に示した選択リストの印字出力を行い、続くステップＳ７１０で選択した用件を消去する。
【００４７】
また、ステップＳ７０４において、全件消去が選択されるとステップＳ７１１へ進み、印字要求があるか否かを判断する。つまり、使用者が全ての用件を消去するにあたって消去対象となる用件の用件リストを印字出力したいと考えた場合はステップＳ７０９へ進み、図６に示した全件リストの印字出力を行い、続くステップＳ７１３で全ての用件を消去する。
【００４８】
図８は、カレンダー表示の一例を示す図であり、図９は、用件リストの印字出力結果の一例を示す図である。
【００４９】
以上説明した実施例によれば、情報端末装置のスケジューラー機能において、登録した用件の印字出力を従来のようなカレンダー形式の印字出力ではなく、用件の未登録の日付分は印字出力することなく、消去対象となる用件が登録された日付分のみを印字出力することが可能となり、幅広い年月に渡って登録された用件についても用紙を無駄に消費することなく印字することが可能になる。
【００５０】
また、スケジューラー機能において、新しい用件の登録で記憶容量が一杯になったときなど、用件を消去する場合、消去するだけではなく用件リストの印字を行えるようにしたので、より使い勝手のよいスケジューラー機能を実現することが可能となっている。
【００５１】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００５２】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００５３】
この場合、記録媒体から読出されたプログラムコード自体が前述した実施形態の機能を実現することになり、そのプログラムコードを記憶した記録媒体は本発明を構成することになる。
【００５４】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００５５】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００５６】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【産業上の利用可能性】
【００５７】
本発明は、スケジューラー機能を有するファクシミリ装置だけでなく、プリンタを接続可能な電話機や形態電話、ＰＤＡ（Personal Digital Assistants）などの情報端末装置にも適用することができる。
【図面の簡単な説明】
【００５８】
【図１】実施例１における情報端末装置の構成を示すブロック図である。
【図２】情報端末装置のスケジューラー機能に係るメモリ構成を示す図である。
【図３】実施例におけるスケジューラーの登録用件を月毎に表示或いは印字する処理を示すフローチャートである。
【図４】実施例における「過去件プリント」の処理を示すフローチャートである。
【図５】実施例における「選択プリント」の処理を示すフローチャートである。
【図６】実施例における「全件プリント」の処理を示すフローチャートである。
【図７】本実施例におけるスケジューラーの処理を示すフローチャートである。
【図８】カレンダー表示の一例を示す図である。
【図９】用件リストの印字出力結果の一例を示す図である。
【符号の説明】
【００５９】
１０１  画像読取部
１０２  ＣＰＵ
１０３  ＲＯＭ
１０４  ＲＡＭ
１０５  プリンタ
１０６  表示部
１０７  操作部
１０８  データモデム
１０９  ＦＡＸモデム
１１０  クロスポイントスイッチ
１１１  タイマー
【図１】
2005080096.tif 000003
【図２】
2005080096.tif 000004
【図３】
2005080096.tif 000005
【図４】
2005080096.tif 000006
【図５】
2005080096.tif 000007
【図６】
2005080096.tif 000008
【図７】
2005080096.tif 000009
【図８】
2005080096.tif 000010
【図９】
2005080096.tif 000011